(57)【要約】【課題】音声と静止画像を同時再生するための操作を簡略化し、ユーザの操作性を向上させた再生装置を提供する。【解決手段】フォルダが選択されたと判定すると、制御部６は、そのフォルダに格納されている音声ファイルと静止画像ファイルの再生を開始する。これにより、再生部は音声ファイルと静止画像ファイルを再生する。この時、制御部６は、そのフォルダに格納されている音声ファイルと静止画像ファイルのファイル名を参照し、数字の小さいものから順番に再生するよう再生部に指示する。例えば、フォルダ１１０が選択されれば、再生順序に従って、音声ファイル１１１と静止画像ファイル１１３とが再生される。また、フォルダ１２０が選択されれば、再生順序に従って、音声ファイル１２１と静止画像ファイル１２４とが再生される。【選択図】図３
2008054208.tif 000002
【特許請求の範囲】
【請求項１】
音声ファイルと複数の静止画像ファイルとが共に格納されているフォルダが記録されている情報記憶媒体から、それらのファイルを読取り、読取ったファイルに記述されているデータを処理して再生する再生手段を備える再生装置において、
前記音声ファイルと前記静止画像ファイルのファイル名には、それらのファイルを再生する再生順序が予め記述されており、
前記情報記憶媒体に記録されている記録内容から前記フォルダを選択する選択手段と、
前記記録内容から前記フォルダが前記選択手段において選択されると、その選択されたフォルダに格納されている前記音声ファイルと前記静止画像ファイルとを、前記再生順序に従って、前記情報記憶媒体から順次読取るよう前記再生手段に指示する再生ファイル指示手段と、を備え、
前記再生ファイル指示手段は、前記再生手段が前記音声ファイルを読取って再生している間、読取る静止画像ファイルを一定時間毎に切替えるよう前記再生手段に指示する再生装置。
【請求項２】
音声ファイルと静止画像ファイルとが共に格納されているフォルダが記録されている情報記憶媒体から、それらのファイルを読取り、読取ったファイルに記述されているデータを処理して再生する再生手段を備える再生装置において、
前記情報記憶媒体に記録されている記録内容から前記フォルダを選択する選択手段と、
前記記録内容から前記フォルダが前記選択手段において選択されると、その選択されたフォルダに格納されている前記音声ファイルと前記静止画像ファイルとを前記情報記憶媒体から読取るよう前記再生手段に指示する再生ファイル指示手段と、を備える再生装置。
【請求項３】
前記音声ファイルと前記静止画像ファイルのファイル名には、それらのファイルを再生する再生順序が予め記述されており、
前記再生ファイル指示手段は、その選択されたフォルダに格納されている前記音声ファイルと前記静止画像ファイルとを、前記再生順序に従って、前記情報記憶媒体から順次読取るよう前記再生手段に指示する請求項２に記載の再生装置。
【請求項４】
前記フォルダには、複数の静止画像ファイルが前記音声ファイルと格納されており、
前記再生ファイル指示手段は、前記再生手段が前記音声ファイルを読取って再生している間、読取る静止画像ファイルを一定時間毎に切替えるよう前記再生手段に指示する請求項２又は３に記載の再生装置。
【請求項５】
前記フォルダには、複数の静止画像ファイルと複数の音声ファイルとが１対１に対応付けて格納されており、
前記再生ファイル指示手段は、複数の音声ファイルを１ファイルずつ読取って再生するとともに再生する音声ファイルに対応する静止画像ファイルを読取って再生するよう前記再生手段に指示する請求項２又は３に記載の再生装置。
【発明の詳細な説明】
【技術分野】
【０００１】
本発明は、音声ファイルと静止画像ファイルとが共に格納されているフォルダが記録されている情報記憶媒体から、それらのファイルを読取って再生する再生装置に関するものである。
【背景技術】
【０００２】
従来、情報記憶媒体に記録されている写真等の静止画像ファイルや音楽等の音声ファイルを再生する再生装置が実用化され、広く一般に普及している。
【０００３】
情報記憶媒体に記録されている記録内容をユーザに確認させるため、再生装置は、上記のファイルの再生に先立って該記録内容を表示する。ユーザはこの表示を見て、その記録内容から所望のファイルを、再生装置に設けられた操作手段で選択する。そして、再生装置は選択されたファイルを再生する。
このようにして、選択されたファイルの再生が再生装置において行われる。この際、再生装置は、静止画像ファイルに基づく静止画像を表示しつつ音声ファイルに基づく音声を流すといった同時再生も、行うことができる。
一方、撮像装置が提案されている（特許文献１参照）。
【特許文献１】特開平９−２３８３０３号公報
【発明の開示】
【発明が解決しようとする課題】
【０００４】
しかしながら、上記従来例において音声ファイルと静止画像ファイルを同時に再生したいと考えた場合、ユーザは音声ファイルと静止画像ファイルの両方を逐一選択しなければならなかった。
そのため、ユーザは、例えば音声ファイルを選択した後に静止画像ファイルを選択しなければならなかった。
【０００５】
従って、従来の再生装置は、音声ファイルと静止画像ファイルを同時に再生する場合、２つのファイルを選択しなければならないという煩わしさをユーザに感じさせていた。特に、操作に不慣れなユーザは、２つのファイルを選択する操作ができず、音声ファイルと静止画像ファイルを同時に再生することができなかった。
【０００６】
本発明はこのような従来の課題を解決しようとするものであり、音声と静止画像を同時再生するための操作を簡略化し、ユーザの操作性を向上させた再生装置を提供することを目的とする。
【課題を解決するための手段】
【０００７】
本発明の再生装置は、前記課題を解決するために以下の構成を備えている。
【０００８】
（１）音声ファイルと静止画像ファイルとが共に格納されているフォルダが記録されている情報記憶媒体から、それらのファイルを読取り、読取ったファイルに記述されているデータを処理して再生する再生手段を備える再生装置において、
前記情報記憶媒体に記録されている記録内容から前記フォルダを選択する選択手段と、
前記記録内容から前記フォルダが前記選択手段において選択されると、その選択されたフォルダに格納されている前記音声ファイルと前記静止画像ファイルとを前記情報記憶媒体から読取るよう前記再生手段に指示する再生ファイル指示手段と、を備える。
【０００９】
この構成において、再生装置は、例えば光ディスク装置である。そして、情報記憶媒体は、再生装置が光ディスク装置であれば、DVDなどの光ディスクである。
また、情報記憶媒体に記録されている記録内容をユーザに確認させるため、再生装置は、通常、上記のファイルの再生に先立って該記録内容を表示する。そして、ユーザはこの表示を見てその記録内容から所望のフォルダを上記操作手段で選択する。
この構成においては、ユーザが記録内容からフォルダを選択すると、再生ファイル指示手段が、その選択されたフォルダに格納されている前記音声ファイルと前記静止画像ファイルとを前記情報記憶媒体から読取るよう前記再生手段に指示する。これにより、再生手段は音声ファイルと静止画像ファイルを再生する。
以上より、音声ファイルと静止画像ファイルとが格納されているフォルダを選択するだけで、音声と静止画像が同時に再生される。即ち、ユーザは、１つの操作で、音声と静止画像を同時に再生することができる。従って、ユーザの操作性を向上できる。
【００１０】
（２）前記音声ファイルと前記静止画像ファイルのファイル名には、それらのファイルを再生する再生順序が予め記述されており、
前記再生ファイル指示手段は、その選択されたフォルダに格納されている前記音声ファイルと前記静止画像ファイルとを、前記再生順序に従って、前記情報記憶媒体から順次読取るよう前記再生手段に指示する。
【００１１】
この構成では、フォルダに複数のファイルが格納されている場面を想定している。
【００１２】
（３）前記フォルダには、複数の静止画像ファイルが前記音声ファイルと格納されており、
前記再生ファイル指示手段は、前記再生手段が前記音声ファイルを読取って再生している間、読取る静止画像ファイルを一定時間毎に切替えるよう前記再生手段に指示する。
【００１３】
この構成においては、再生手段は、音声ファイルを読取って再生している間、再生する静止画像ファイルを一定時間毎に切替える。一定時間は、例えば３０秒である。
以上より、音声ファイルと静止画像ファイルとが格納されているフォルダを選択するだけで、音声と静止画像が同時に再生される。さらに、音声が再生されている間、静止画像が一定時間毎に切替わる。即ち、ユーザは、１つの操作で、静止画像を切替えつつ音声を再生することができる。従って、ユーザの操作性を一層向上できる。
【００１４】
（４）前記フォルダには、複数の静止画像ファイルと複数の音声ファイルとが１対１に対応付けて格納されており、
前記再生ファイル指示手段は、複数の音声ファイルを１ファイルずつ読取って再生するとともに再生する音声ファイルに対応する静止画像ファイルを読取って再生するよう前記再生手段に指示する。
【００１５】
この構成においては、再生手段は、複数の音声ファイルを１ファイルずつ読取って再生する。さらに、再生手段は、再生する音声ファイルに対応する静止画像ファイルを読取って再生する。
以上より、音声ファイルと静止画像ファイルとが格納されているフォルダを選択するだけで、音声と静止画像が同時に再生される。さらに、音声が再生されている間、その音声に対応する静止画像が再生される。即ち、ユーザは、１つの操作で、音声と静止画像を切替えつつ、これらを再生することができる。従って、ユーザの操作性を一層向上できる。
【発明の効果】
【００１６】
この発明によれば、ユーザは、１つの操作で、音声と静止画像を同時に再生することができる。従って、ユーザの操作性を向上できる。
【発明を実施するための最良の形態】
【００１７】
以下、本発明の実施形態である光ディスク装置について説明する。
【００１８】
図１は、本発明の実施形態である光ディスク装置の主要な構成を示すブロック図である。光ディスク装置１は、装置本体１にセットされている光ディスク１００に対しデータの読取を行うピックアップヘッド２（以下、ＰＵヘッド２という。）と、ＲＦアンプなどの再生回路３と、データをデコードするデコーダ４と、データをD／A変換するD／A回路５と、装置本体１の各部を制御する制御部６と、情報を表示する表示部９と、ユーザの操作を受付ける操作部１０と、データを記憶する記憶部１１と、を備える。光ディスク装置１は、所謂ＤＶＤプレーヤである。また、光ディスク１００は、ＣＤ、又はＤＶＤである。
なお、この実施形態では、光ディスク装置としてＤＶＤプレーヤで説明しているが、実施の際は、再生機能があればＤＶＤレコーダでも構わない。
【００１９】
ＰＵヘッド２は、図示しないレーザダイオード（ＬＤ）、コリメータレンズ、ビームスプリッタ、対物レンズ、フォトディテクタ、スレッドモータ、アクチュエータを備えている。
ＰＵヘッド２は、光ディスク１００の半径方向に延びる軸に移動自在に取り付けられている。スレッドモータが、ＰＵヘッド２を光ディスク１００の半径方向に移動させる。
ＬＤは、レーザ光を出力する光源である。フォトディテクタは、複数の受光素子で形成されており、光ディスク１００からの反射光を検出する。フォトディテクタは、例えば、受光領域がほぼ均等に４分割されており、４つの受光領域を形成している。
対物レンズは、光ディスク１００に対するレーザ光の照射位置を調節する。また、アクチュエータは、対物レンズを光ディスク１００に接離する方向、および光ディスク１００の半径方向に移動させる。
【００２０】
ＰＵヘッド２は、再生時において、光ディスク１００に対して読取パワーのレーザ光を照射し、光ディスク１００からの反射光をフォトディテクタで検出する。これにより、光ディスク１００に記録されているデータを光学的に読み出す。
【００２１】
再生回路３は、ＰＵヘッド２の複数の受光素子の出力に基づいてＲＦ信号を生成して増幅し、該ＲＦ信号を処理して音声データや静止画像データを取り出す。ここで、取り出されるデータは、例えばｍｐ３（MPEG Audio Layer-3）やJＰＥＧ（Joint Photographic Experts Group）でエンコードされている。そして、そのデータは、再生回路３内蔵のバッファＲＡＭ（不図示）に一旦格納される。
【００２２】
バッファＲＡＭに格納されているデータは、制御部６からの読み出し要求に従って順次読み出され、デコーダ４に転送（出力）される。
【００２３】
デコーダ４は、バッファＲＡＭに記憶（格納）されているデータをデコードする。デコードされたデータは、デコーダ４内蔵のデコードＲＡＭ（不図示）に一旦格納された後、再び読み出され、D／A回路５に順次転送される。
【００２４】
D／A回路５は、デコーダ４によって伸長された画像データをアナログの画像再生信号に変換する。また、D／A回路５は、デコーダ４によって伸長された音声データをアナログの音声再生信号に変換する。そして、D／A回路５は、それらの信号を装置１の外部に出力する。これにより、ユーザは、装置１に接続されているテレビジョン（不図示）等において、D／A回路５から出力された画像再生信号に基づく静止画像、及び音声再生信号に基づく音声を視聴することができる。
【００２５】
記憶部１１は、例えば半導体メモリ、ハードディスクで構成される。半導体メモリは、例えばＥＥＰＲＯＭである。
【００２６】
操作部１０は、装置本体に対する入力操作を行う複数の操作キー（不図示）や、図示していないリモコンから送信されてきた装置本体１に対するコマンド（命令）を受信するリモコン受信部（不図示）を有している。操作部１０は、ユーザにより操作された操作キーに応じたコマンドや、リモコン受信部で受信したコマンドを制御部６に伝送する。
操作キーには、光ディスク１００に記録されている記録内容から所望のフォルダを選択して再生するためのフォルダ選択キーと、光ディスク１００に記録されている記録内容から所望のファイルを選択して再生するためのファイル選択キーと、がある。
【００２７】
表示部９は、例えば液晶パネルで構成されている。そして、表示部９は、時刻、光ディスク装置１の設定状態などを表示する。
【００２８】
制御部６は、例えばマイクロコンピュータで構成される。さらに、制御部６は、制御プログラムを記憶するROM（不図示）と、制御プログラムで処理されるデータを展開するためのワークフィールドとしてのRAM（不図示）と、を内蔵する。
【００２９】
なお、ＰＵヘッド２、再生回路３、デコーダ４、及びD／A回路５が、本発明の「再生手段」に相当する。制御部６が、本発明の「再生ファイル指示手段」に相当する。
【００３０】
図２は、光ディスク１００の記録領域を示す図である。光ディスク１００の記録領域は、その内周から外周にかけてＰＣＡ９０、ＲＭＡ９１、リードイン領域９２、データ領域９３、リードアウト領域９４に分けられている。
ＰＣＡ９０は、レーザパワーの校正が行える領域である。また、ＲＭＡ９１は、光ディスク装置１にとって必要な記録管理情報が記録されている領域である。
なお、光ディスク１００が再生専用の光ディスクであれば、ＰＣＡ９０とＲＭＡ９１は存在しない。
【００３１】
リードイン領域９２は、光ディスク１００上のデータ領域９３に記録されているデータのＴＯＣデータが記録されている領域である。このＴＯＣデータには、保存されたデータがファイナライズされているかどうかの情報、データが保存された日付、保存されたデータのタイトル情報、保存されたデータの光ディスク上のアドレス情報などが含まれている。
データ領域９３は、保存されたデータが記録されている領域である。
リードアウト領域９４は、保存されたデータがファイナライズされた場合に作成される領域である。このファイナライズとは、他の光ディスク装置と互換性を持つようにするために記録情報を整えるためのプロセスである。ファイナライズを行うことにより、他の光ディスク装置においても光ディスク１００の再生が可能となる。
【００３２】
図３は、光ディスク１００の記録内容を示す図である。光ディスク１００には、音声ファイルと静止画像ファイルとが格納されているフォルダ１１０、１２０が記録されている。フォルダ１１０には、音声ファイル１１１、１１２と静止画像ファイル１１３、１１４とが共に格納されている。また、フォルダ１２０には、音声ファイル１２１、１２２、１２３と静止画像ファイル１２４、１２５、１２６とが共に格納されている。
【００３３】
この実施形態では、音声ファイル１１１、１１２、１２１、１２２、１２３のファイル形式は、ｍｐ３とする。また、静止画像ファイル１１３、１１４、１２４、１２５、１２６のファイル形式は、JPEGとする。さらに、それらのファイルを再生する再生順序を次のように予め記述しておく。音声ファイル１１１、１１２のファイル名は、それぞれ「A０１」「A０２」とする。また、静止画像ファイル１１３、１１４のファイル名は、それぞれ「P０１」「P０２」とする。一方、音声ファイル１２１、１２２、１２３のファイル名は、それぞれ「A１１」「A１２」「A１３」とする。また、静止画像ファイル１２４、１２５、１２６のファイル名は、それぞれ「P１１」「P１２」「P１３」とする。
【００３４】
図４は、本発明の実施形態である光ディスク装置における制御部が行う動作を示すフローチャートである。この動作は、光ディスク１００が装置本体１にセットされた時の動作である。
【００３５】
光ディスク１００が装置本体１にセットされると、制御部６は、光ディスク１００のリードイン領域９２に記述されているTOCデータを読取るようPUヘッド２に指示する（S１）。これにより、制御部６は、光ディスク１００の記録内容を、再生回路３を介して取得する。
【００３６】
そして、制御部６は、取得した記録内容を表示部９に表示する（S２）。これにより、表示部９において、例えば図５に示すような記録内容が表示される。ユーザは、この表示を見て、光ディスク１００の記録内容を確認する。
図５は、光ディスク１００の記録内容が表示された表示部９の画面を示す図である。
【００３７】
制御部６は、音声ファイルと静止画像ファイルとが格納されているフォルダが選択されたか否かを判定する（S３）。図３では、フォルダ１１０、フォルダ１２０のいずれか一方がフォルダ選択キーで選択されれば、判定肯定となる。
上記フォルダが選択されていないと判定すると、制御部６は、ファイルが選択されたか否かを判定する（S４）。図３では、ファイル１１１〜１１４、１２１〜１２６の内のいずれか１つがファイル選択キーで選択されれば、判定肯定となる。
ここで、S３およびS４では、後述のS６における再生か、後述のS５における通常の再生か、をユーザが選択できる状態となっている。
【００３８】
そして、ファイルが選択されたと判定すると、制御部６は、選択されたファイルの再生を開始し（S５）、本処理を終了する。これにより、PUヘッド２、再生回路３、デコーダ４、D／A回路５（以下、まとめて「再生部」と称する）は、通常の再生動作を開始する。
【００３９】
一方、上記フォルダが選択されたと判定すると、制御部６は、そのフォルダに格納されている音声ファイルと静止画像ファイルの再生を開始し（S６）、本処理を終了する。これにより、再生部は音声ファイルと静止画像ファイルを再生する。この時、制御部６は、そのフォルダに格納されている音声ファイルと静止画像ファイルのファイル名を参照し、数字の小さいものから順番に再生するよう再生部に指示する。例えば図３では、フォルダ１１０が選択されれば、再生順序に従って、音声ファイル１１１と静止画像ファイル１１３から再生される。また、フォルダ１２０が選択されれば、再生順序に従って、音声ファイル１２１と静止画像ファイル１２４から再生される。そして、音声ファイル１２１の再生が終了すると、次に音声ファイル１２２が再生される。
【００４０】
以上より、音声ファイルと静止画像ファイルとが格納されているフォルダを選択するだけで、音声と静止画像が同時に再生される。即ち、ユーザは、１つの操作で、音声と静止画像を同時に再生することができる。従って、ユーザの操作性を向上できる。
【００４１】
また、本発明の実施形態は、以下の変形例を採用することができる。
【００４２】
（第１変形例）
図６は、本発明の実施形態の第１変形例である光ディスク装置における制御部が行う動作を示すフローチャートである。この動作は、図４のS6の処理の後に、S１７〜S１９を追加した動作であり、その他の処理（S1〜S6）については同じである。
【００４３】
制御部６は、再生中（S１７判定否定）、一定時間が経過する毎に（S１８）、静止画像ファイルを切替えて読取るようPUヘッド２に指示する（S１９）。一定時間は、例えば３０秒である。ここで、S１８を実行するため、制御部６は、S１８において音声ファイルを一定時間毎に切替えるために時間を測定するタイマー回路（不図示）を内蔵する。
なお、S１７では、選択されたフォルダの中に未読の音声ファイルが存在する場合、制御部６は判定否定と判定する。
【００４４】
そして、制御部６は、選択されたフォルダ中の全ての音声ファイルをPUヘッド２が読取って再生が終了すると（S１７）、本処理を終了する。
即ち、S１７〜S１９において再生部は、音声ファイルを読取って再生している間、再生する静止画像ファイルを一定時間毎に切替える。例えば図３では、再生部が音声ファイル１２１を読取って再生している間、PUヘッド２は、読取る静止画像ファイルをファイル１２４、１２５、１２６の順番に一定時間毎に切替える。音声ファイル１２２、１２３を読取って再生している間も、PUヘッド２は、同様に切替える。
【００４５】
以上より、音声ファイルと静止画像ファイルとが格納されているフォルダを選択するだけで、音声と静止画像が同時に再生される。さらに、音声が再生されている間、静止画像が一定時間毎に切替わる。即ち、ユーザは、１つの操作で、静止画像を切替えつつ音声を再生することができる。従って、ユーザの操作性を一層向上できる。
【００４６】
（第２変形例）
図７は、本発明の実施形態の第２変形例である光ディスク装置における制御部が行う動作を示すフローチャートである。この動作は、図６のS１８とS１９をS２８とS２９に置き換えた動作であり、その他の処理（S1〜S6、S17）については同じである。
【００４７】
上記のように、図３では、音声ファイル１１１、１１２のファイル名は、それぞれ「A０１」「A０２」である。また、静止画像ファイル１１３、１１４のファイル名は、それぞれ「P０１」「P０２」である。一方、音声ファイル１２１、１２２、１２３のファイル名は、それぞれ「A１１」「A１２」「A１３」である。また、静止画像ファイル１２４、１２５、１２６のファイル名は、それぞれ「P１１」「P１２」「P１３」である。
【００４８】
この場合、制御部６は、ファイル名により、音声ファイル１１１、１１２と静止画像ファイル１１３、１１４とが１対１に対応付けて格納されていると判断する。同様に、制御部６は、ファイル名により、音声ファイル１２１、１２２、１２３と静止画像ファイル１２４、１２５、１２６とが１対１に対応付けて格納されていると判断する。詳述すると、フォルダ１２０では、例えば音声ファイル１２１と静止画像ファイル１２４とのファイル名の数字部分は「１１」で同じのため、両ファイルが１対１に対応付けて格納されていると制御部６は判断する。
【００４９】
そして、制御部６は、再生中（S１７判定否定）、１つの音声ファイルの再生が終了する毎に（S２８）、読取る音声ファイルと静止画像ファイルとを切替えるようPUヘッド２に指示する（S２９）。
即ち、制御部６は、複数の音声ファイルを１ファイルずつ読取って再生するとともに再生する音声ファイルに対応する静止画像ファイルを読取って再生するよう再生部に指示する。例えば図３では、再生部は、複数の音声ファイル１２１、１２２、１２３を１ファイルずつ読取って再生する。さらに、再生部は、再生する音声ファイルに対応する静止画像ファイルを読取って再生する。
【００５０】
以上より、音声ファイルと静止画像ファイルとが格納されているフォルダを選択するだけで、音声と静止画像が同時に再生される。さらに、音声が再生されている間、その音声に対応する静止画像が再生される。即ち、ユーザは、１つの操作で、音声と静止画像を切替えつつ、これらを再生することができる。従って、ユーザの操作性を一層向上できる。
【図面の簡単な説明】
【００５１】
【図１】本発明の実施形態である光ディスク装置の主要な構成を示すブロック図
【図２】光ディスク１００の記録領域を示す図
【図３】光ディスク１００の記録内容を示す図
【図４】本発明の実施形態である光ディスク装置における制御部が行う動作を示すフローチャート
【図５】光ディスク１００の記録内容が表示された表示部９の画面を示す図
【図６】本発明の実施形態の第１変形例である光ディスク装置における制御部が行う動作を示すフローチャート
【図７】本発明の実施形態の第２変形例である光ディスク装置における制御部が行う動作を示すフローチャート
【符号の説明】
【００５２】
１−光ディスク装置
２−ＰＵヘッド
３−再生回路
４−デコーダ
５−D／A回路
６−制御部
９−表示部
１０−操作部
１１−記憶部
９０−ＰＣＡ
９１−ＲＭＡ
９２−リードイン領域
９３−データ領域
９４−リードアウト領域
１００−光ディスク
１０１−ルートフォルダ
１１０−フォルダ
１１１、１１２−音声ファイル
１１３、１１４−静止画像ファイル
１２０−フォルダ
１２１、１２２、１２３−音声ファイル
１２４、１２５、１２６−静止画像ファイル
【図１】
2008054208.tif 000003
【図２】
2008054208.tif 000004
【図３】
2008054208.tif 000005
【図４】
2008054208.tif 000006
【図５】
2008054208.tif 000007
【図６】
2008054208.tif 000008
【図７】
2008054208.tif 000009